(57)【要約】 【課題】  簡単な構成で光源ランプの寿命を延長できるプロジェクタを提供する。【解決手段】プロジェクタは、ランプケース５４の側壁５４Ｃの底面５４Ｂ側と、側壁５４Ｄの天面５４Ａ側とに、照明光軸に対して１８０度回転対称となる位置に第1コネクタ５５１および第２コネクタ５５２を備えた。これにより、光源装置５０を初めて使用する際には、第1コネクタ５５１を光源プラグ部に挿入して光源ランプ５１に電力を供給し、光源装置５０を１８０度回転させた際には、第２コネクタ５５２が光源プラグ部の位置に移動する。したがって、このような簡単な構成で、光源装置５０を１８０度回転させて第２コネクタ５５２を光源プラグ部に接続するだけで容易に光源ランプ５１の熱によりダメージを受ける位置を分散でき、光源ランプ５１の寿命を延長させることができる。【選択図】 図４
2006220857.tif 000002
【特許請求の範囲】
【請求項１】
一対の電極間で放電発光が行われる発光管、および前記発光管から放出された光束を一定方向に揃えて射出するリフレクタを有する光源ランプと、前記光源ランプを内部に収納するランプハウジングとを備えた光源装置であって、
前記ランプハウジングに設けられ、前記一対の電極に外部からの電力を供給可能とする複数のコネクタを備え、
前記複数のコネクタは、前記光源ランプから射出される光束の光軸を中心とした所定角度の回転対称位置に配置されている
ことを特徴とした光源装置。
【請求項２】
請求項１に記載の光源装置であって、
前記ランプハウジングは、前記光源ランプから射出される前記光束の光軸を中心とした前記所定角度の回転対称位置に、このランプハウジングを固定する複数の固定部を備えた
ことを特徴とした光源装置。
【請求項３】
請求項１または請求項２に記載の光源装置であって、
前記所定の角度は、１８０度である
ことを特徴とした光源装置。
【請求項４】
請求項１または請求項２に記載の光源装置であって、
前記所定の角度は、９０度である
ことを特徴とした光源装置。
【請求項５】
請求項１ないし請求項４のいずれかに記載の光源装置であって、
前記複数のコネクタは、それぞれ前記発光管の前記一対の電極に電気的に接続されている
ことを特徴とした光源装置。
【請求項６】
請求項１ないし請求項５のいずれかに記載の光源装置であって、
前記複数のコネクタを識別する識別手段が設けられた
ことを特徴とした光源装置。
【請求項７】
請求項６に記載の光源装置であって、
前記識別手段は、前記複数のコネクタのうち、少なくとも１つのコネクタに貼付されるシールである
ことを特徴とした光源装置。
【請求項８】
請求項１ないし請求項７のいずれかに記載の光源装置と、
前記光源装置から射出される光束を変調する光変調素子と、
前記変調された光束を拡大投射する投射レンズとを具備した
ことを特徴としたプロジェクタ。
【請求項９】
請求項８に記載のプロジェクタであって、
前記光源装置の前記発光管が光束を射出する時間を認識する時間測定手段と、
前記時間測定手段にて前記発光管が光束を射出する累積時間が所定時間に達したことが認識されると、前記光源装置を所定角度回転させる旨の報知情報を報知する報知手段とを備えた
ことを特徴としたプロジェクタ。
【発明の詳細な説明】
【技術分野】
【０００１】
本発明は、光源から光束を射出する光源装置、および光源装置を搭載したプロジェクタに関する。
【背景技術】
【０００２】
プロジェクタなどの光学機器に設けられる光源装置のランプの照度は、累積時間が１０００時間を越えると急激に低下する傾向がある。これは、発光管が高温にさらされることで発光管内に空気の対流が生じ、発光管の上部側が高温になって下部側が低温になるため、発光管を形成する石英ガラスの上部側の石英が結晶化して失透するためである。また、結晶化現象が進むと、発光管の破裂の基点となり、ランプの寿命が短くなる。このような問題に対し、従来、ランプを回転させてランプの寿命を延ばす構成が知られている（例えば、特許文献１参照）。
【０００３】
この特許文献１に記載のものは、電極を石英ガラスで封止したメタルハライドランプの光軸と、ランプリフレクタの軸心とを同軸とし、メタルハライドランプの両端の封止部を保持手段に内蔵された軸受に回転自在に保持させる。そして、ランプリフレクタ側の封止部がトルク伝達部を介してモーターから回転トルクを受けることでメタルハライドランプが周期的に回転する構成が採られている。
【０００４】
【特許文献１】特開平３−４８８３６号公報（第２頁、第３頁、および図１参照）
【発明の開示】
【発明が解決しようとする課題】
【０００５】
ところで、特許文献１に記載のような構成では、モーターのトルクによりメタルハライドランプを回転させることで、メタルハライドランプの石英ガラスの一方側だけに石英の結晶化が進行するのを防止している。しかしながら、このような構成では、光源装置にモーターやトルク伝達部などの回転手段を取り付ける必要があるため、構成が複雑になる。
【０００６】
本発明は、上記のような実情に鑑み、簡単な構成で光源ランプの寿命を延長できる光源装置およびプロジェクタを提供することを目的とする。
【課題を解決するための手段】
【０００７】
本発明の光源装置は、一対の電極間で放電発光が行われる発光管、および前記発光管から放出された光束を一定方向に揃えて射出するリフレクタを有する光源ランプと、前記光源ランプを内部に収納するランプハウジングとを備えた光源装置であって、前記ランプハウジングに設けられ、前記一対の電極に外部からの電力を供給可能とする複数のコネクタを備え、前記複数のコネクタは、前記光源ランプから射出される光束の光軸を中心とした所定角度の回転対称位置に配置されていることを特徴とする。
【０００８】
本発明のような構成の光源装置では、複数のコネクタが照明光軸に対して所定の角度の回転対称位置に設けられている。この構成では、複数のコネクタのうち１つを例えば光源ランプを設置する設置部などに予め設けられた光源用の電力供給部などに接続し、電圧を光源ランプの発光管の電極間に印加し、光源ランプの発光管の石英結晶化の前にランプハウジングを前記所定の角度だけ回転させて、他の１つのコネクタに前述した光源用の電力供給部を接続することで、発光管を前記所定の角度だけ回転させて発光管の他の部位に熱を流すことができる。したがって、石英の結晶化による失透現象を防止することができ、発光管の寿命を延長させることができる。また、ランプハウジングを所定の角度回転させたとき、回転前にコネクタと電力供給部とが接続されていた位置に、他のコネクタが移動するので、他のコネクタを電力供給部に容易に接続させることができる。したがって、ランプハウジングを所定の角度だけ回転させ、コネクタを付け替えるだけの簡単な操作で容易に光源ランプの寿命を延長させることができる。
【０００９】
また、本発明の光源装置では、前記ランプハウジングは、前記光源ランプから射出される前記光束の光軸を中心とした前記所定角度の回転対称位置に、このランプハウジングを固定する複数の固定部を備えることが好ましい。
【００１０】
このような構成では、固定部が照明光軸に対して所定の角度回転対称位置に設けられている。これにより、ランプハウジングを照明光軸に対して所定の角度だけ回転させると、回転前に取付部に取り付けた固定部の位置に、他の固定部が移動する。したがって、光源装置を例えばプロジェクタなどに設けられる光源設置部に取り付ける際に、光源装置のランプハウジングを所定角度回転させても同じ位置に固定部が配置されるので、取り付け作業が容易に実施できる。
【００１１】
また、本発明の光源装置では、前記所定の角度は、１８０度であることが好ましい。
【００１２】
この構成では、コネクタは、光源ランプの照明光軸に対して１８０度回転対称となる位置に設けられている。これにより、ランプハウジングを１８０度回転させるだけで容易に発光管の熱によりダメージを受ける場所を１８０度分散できる。また、コネクタを照明光軸に対して１８０度回転対称となる位置に設けるだけでよいので構成を簡単にでき、このランプハウジングを取り付けるランプ設置部の構成も簡単にできる。
【００１３】
一方、本発明の光源装置では、前記所定の角度は、９０度である構成としてもよい。
【００１４】
この構成では、コネクタは、光源ランプの照明光軸に対して９０度回転対称となる位置に設けられている。これにより、例えば光源ランプの累積使用時間が所定の時間となる毎に、ランプハウジングを９０度回転させれば、発光管も９０度回転されることになる。したがって、発光管の熱によりダメージを受ける部位を９０度ずつずらすことができ、熱によるダメージをさらに分散させることができる。よって、発光管の寿命をさらに延長させることができる。
【００１５】
また、本発明の光源装置では、前記複数のコネクタは、それぞれ前記発光管の前記一対の電極に電気的に接続されていることが好ましい。
【００１６】
このような構成では、光源ランプは、例えばリード線などによって複数のコネクタに電気的に接続されている。これにより、この光源装置を所定の角度だけ回転させて、電源供給部に接続させるコネクタを切り替えても、全てのコネクタが光源ランプに電気的に導通しているので光源ランプに電力を供給できる。したがって、コネクタの切り替えに伴って再度配線しなおす手間が省け、メンテナンス時の作業性を良好にできる。よって、光源ランプの取替え作業や、光源ランプを回転させる回転作業が容易に実施できる。
【００１７】
さらに、本発明の光源装置では、前記複数のコネクタを識別する識別手段が設けられていることが好ましい。
【００１８】
このような構成の光源装置では、複数のコネクタを識別する識別手段が設けられているので、例えば使用済みのコネクタと未使用のコネクタを容易に識別できる。したがって、誤って使用済みのコネクタを電源供給用のプラグに差し込むことがなく、光源装置の設置方向が容易に認識できる。
【００１９】
この時、前記識別手段は、前記複数のコネクタのうち、少なくとも１つのコネクタに貼付されるシールであることが好ましい。
【００２０】
この構成では、少なくとも１つのコネクタにシールを貼付している。これにより、例えば、未使用のコネクタにシールが貼付されていれば、光源装置を所定の角度回転させたときに未使用のコネクタと使用済みのコネクタを容易に識別できる。また、コネクタを１８０度回転対称位置に設けた場合では、シールを一方のコネクタに貼付するだけの構成で、コネクタを識別することができる。このようにシールを貼付する構成であれば、複雑な識別手段を設けずとも容易にコネクタを識別することができる。なお、このようなシールは、例えば複数のコネクタの全てに貼付されているものであってもよく、それぞれを識別するために例えば「１」「２」といったコネクタを識別する番号や記号などがシールに記述されているものであってもよい。また、このようなシールはコネクタ使用時に剥がされるものであってよく、プラグでシールを破って貫通させるものであってもよい。
【００２１】
そして、本発明では、上記のような光源装置は、前記光源装置から射出される光束を光変調する光変調素子と、前記光源装置から射出される光束を前記光変調素子に導く複数の光学素子と、前記光返照された光束をスクリーン上に投射する投射レンズとを具備したプロジェクタに組み込まれることが好ましい。
【００２２】
このような構成のプロジェクタでは、上記のように光源装置の光源ランプを所定の角度だけ回転させて設置しなおすことで、光源ランプの寿命を延長させることができるので、プロジェクタのランプ寿命を延ばすことができる。
【００２３】
また、上記のようなプロジェクタは、前記光源装置の前記発光管が光束を射出する時間を認識する時間測定手段と、前記時間測定手段にて前記発光管が光束を射出する累積時間が所定時間に達したことが認識されると、前記光源装置を所定角度回転させる旨を要求する要求情報を報知する報知手段とを備えることが好ましい。
【００２４】
このような構成では、光源装置の発光管から光束が射出される時間を計測する、例えばタイマなどの時間測定手段を備え、報知手段は、この時間測定手段にて測定された発光管の光束を射出する累積時間が所定時間となったことが認識されると光源装置を所定角度回転させる旨の報知情報を報知する。この報知手段としては、例えば、プロジェクタの投射レンズから映像にて報知情報を報知するものであってもよく、プロジェクタの外部に報知情報を点滅信号として報知するものであってもよい。このような構成により、利用者は光源装置を回転させるべき時期を容易に認識できる。したがって、光源装置を回転させる作業を忘れることがなく、光源ランプの発光管の失透を防止でき、光源ランプの寿命を延長させることができる。
【発明を実施するための最良の形態】
【００２５】
［プロジェクタの全体構成］
図面を参照して、本発明の一実施の形態にかかるプロジェクタを説明する。図１は、本実施の形態に係るプロジェクタの斜視図である。図１において、１００はプロジェクタであり、このプロジェクタ１００は、光源から射出される光束を画像情報に応じて変調して光学像を形成し、形成した光学像をスクリーン上に拡大投射するものである。このプロジェクタ１００は、内部に各種光学素子を収納する光学部品用筐体を収納可能な空間を形成する外装ケース１１０を備えている。
【００２６】
外装ケース１１０の正面には、一部が凹んだ形状に形成されており、この凹み部に円形の開口部が形成されている。そして、この開口部には、投射レンズ３が、前端側部分が外装ケース１１０の前面側に突出する状態で取り付けられている。また、外装ケース１１０の正面には、投射レンズ３が設けられる開口部の右側に吸気用開口部１１１が形成されている。この吸気用開口部１１１は、装置の内部と外部とを連通する複数の連通孔にて形成されている。さらに、外装ケース１１０の正面には、投射レンズ３がもうけられる左側に受光窓１１２が形成されている。この受光窓１１２は、図示しないリモートコントローラからの制御光を受けるためのものである。さらに、受光窓１１２の下方には、報知手段としての光源切替報知部１１８が形成されている。この光源切替報知部１１８は、内部にランプが取り付けられ、ランプを点灯させることで後述する光源装置５０の切替時期を報知する。
【００２７】
外装ケース１１０の上面には、内蔵スピーカー（図示せず）に対応した位置に多数の連通孔１１３が形成されている。また、外装ケース１１０の上面には、略中央部分に、コントロール部１１４が設けられている。このコントロール部１１４には、形成されている各種スイッチ群が形成されている。このスイッチ群には、例えば、主電源のオンオフを行うためのメインスイッチや、プロジェクタの各種設定を変更するためのスイッチなどが配置されている。
【００２８】
また、外装ケース１１０の上面の背面側には、ランプ取り外し口１１５が形成されている。このランプ取り外し口１１５には、カバー部１１６が取り付けられている。そして、プロジェクタ１００の内部に収納される後述する光学部品用筐体４６に取り付けられる光源装置５０の取り外しを行う際にカバー部１１６が取り外され、ランプ取り外し口１１５が開口された状態になる。
【００２９】
外装ケース１１０の背面には、プロジェクタの内部と外部とを連通する排気用開口部１１７（図２参照）が設けられている。さらに、外装ケース１１０の背面側には、図示しない電源接続部や、図示しない外部出力部などが設けられている。
【００３０】
［プロジェクタの内部構造］
図２は、プロジェクタの内部を模式的に示す概略図である。図３は、光学部品筐体の内部を模式的に示す概略図である。
図２および図３において、外装ケース１１０の内部には、光学ユニット４や電源ユニット６が並設されている。また、外装ケース１１０の内部には、光学ユニット４の底面側に装置駆動制御用の制御回路基板７が配置されている。電源ユニット６および光学ユニット４は、それぞれ制御回路基板７に電気的に接続されている。
【００３１】
光学ユニット４は、光源から射出された光束を、光学的に処理して画像情報に対応して光学像（カラー画像）を形成し、投射レンズ３を介して、図示しないスクリーン上に拡大投射するユニットである。投射レンズ３は、詳しい図示を省略するが、鏡筒内部に複数のレンズが収納された組レンズとして構成されている。そして、この投射レンズ３は、後述する光学装置４４で形成されたカラー画像を、図示しないスクリーン上に拡大投射する。
【００３２】
光学ユニット４は、インテグレータ照明光学系４１と、色分離光学系４２と、リレー光学系４３と、光学装置４４と、これら光学部品４１，４２，４３，４４を所定の照明光軸上に位置決めして配置する光学部品用筐体４６とを備えている。
【００３３】
インテグレータ照明光学系４１は、光源から射出された光束を照明光軸直交面内における照度を均一にするための光学系である。このインテグレータ照明光学系４１は、光源装置５０と、平行化凹レンズ４１１と、第１レンズアレイ４１２と、第２レンズアレイ４１３と、偏光変換素子４１４と、重畳レンズ４１５とを備える。
【００３４】
光源装置５０は、光源ランプ５１から射出された光束を一定方向に揃えて射出するものである。この光源装置５０は、詳細は後述するが、光源ランプ５１と、リフレクタ５２と、を備えている。そして、光源ランプ５１から放射された光束は、リフレクタ５２により装置前方側に収束光として射出される。
【００３５】
平行化凹レンズ４１１は、光源装置５０から射出された光束を平行化して、第１レンズアレイ４１２に射出する。
【００３６】
第１レンズアレイ４１２は、光軸方向から見て略矩形状の輪郭を有する小レンズがマトリクス状に配列された構成を有している。これら各小レンズは、光源装置５０から射出される光束を、複数の部分光束に分割し、照明光軸方向に射出する。また、各小レンズの輪郭形状は、後述する光変調素子としての液晶パネル４５の画像形成領域（光変調面）の形状とほぼ相似形をなすように設定される。
【００３７】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル４５上に結像させる機能を有している。
【００３８】
偏光変換素子４１４は、第２レンズアレイ４１３と重畳レンズ４１５との間に配置される。この偏光変換素子４１４は、第２レンズアレイ４１３から射出された光束を、略１種類の直線偏光に変換する。そして、偏光変換素子４１４にて略１種類の直線偏光に変換された各部分光束は、重畳レンズ４１５によって、光学装置４４の後述する液晶パネル４５の画像形成領域（光変調面）上にほぼ重畳される。ここで、直線偏光を変調するタイプの液晶パネル４５を用いたプロジェクタでは、１種類の直線偏光しか利用できないため、ランダムな偏光光を発する光源装置５０から射出される光の略半分を利用できない。このため、本実施の形態では、偏光変換素子４１４を用いることで、光源装置５０からの射出光を略１種類の直線偏光に変換し、光学装置４４での光の利用効率を高めている。なお、このような偏光変換素子４１４は、例えば、特開平８−３０４７３９号公報に紹介されている。
【００３９】
色分離光学系４２は、２枚のダイクロイックミラー４２１，４２２と、２枚の反射ミラー４２３，４２４とを備えて構成される。反射ミラー４２３は、インテグレータ照明光学系４１から入射する光束をダイクロイックミラー４２１，４２２が配置される照明光軸方向に反射させる。そして、ダイクロイックミラー４２１，４２２は、インテグレータ照明光学系４１から射出された複数の部分光束を、赤、緑、青の３色の色光に分離する。
【００４０】
具体的には、ダイクロイックミラー４２１は、インテグレータ照明光学系４１から射出された光束のうち、赤色光成分を反射ミラー４２３が配置される方向に透過させ、青色光成分と緑色光成分とを反射させる。ダイクロイックミラー４２１を透過した赤色光は、反射ミラー４２３で反射した後、フィールドレンズ４１９を通って、光学装置４４の後述する赤色光側の液晶パネル４５（４５Ｒ）に達する。このフィールドレンズ４１９は、第２レンズアレイ４１３から射出された各部分光束を照明光軸に対して平行な光束に変換する。
【００４１】
また、ダイクロイックミラー４２２は、ダイクロイックミラー４２１を透過した青色光成分および緑色光成分のうち、緑色光成分を光学装置４４側に反射する。ダイクロイックミラー４２２にて反射された緑色光成分は、フィールドレンズ４１９を通って、光学装置４４の後述する緑色光側の液晶パネル４５（４５Ｇ）に達する。
【００４２】
リレー光学系４３は、入射側レンズ４３１、リレーレンズ４３３、および、反射ミラー４３２，４３４を備えている。このリレー光学系４３は、色分離光学系４２にて分離された青色光を光学装置４４の後述する青色光側の液晶パネル４５（４５Ｂ）に導く。
【００４３】
ここで、青色光成分にリレー光学系４３が用いられているのは、青色光成分の光路の長さが、他の色光成分の光路長よりも短いため、光の発散等による光の利用効率の低下を防止するためである。すなわち、入射側レンズ４３１に入射した部分光束をそのまま、フィールドレンズ４１９に伝えるためである。
【００４４】
なお、本実施の形態においては青色光成分の光路長が短いので、青色光成分の光路上にリレー光学系４３を配置した構成としたが、赤色光成分の光路長を短くする構成も考えられる。このような場合は、赤色光成分の光路上にリレー光学系４３を配置するようにすればよい。
【００４５】
光学装置４４は、入射された光束を画像情報に応じて変調してカラー画像を形成する。この光学装置４４は、色分離光学系４２で分離された各色光が入射される３つの入射側偏光板４４１と、この入射側偏光板４４１の後段に配置される液晶パネル４５（４５Ｒ，４５Ｇ，４５Ｂ）および射出側偏光板４４２と、クロスダイクロイックプリズム４４３とを備える。
【００４６】
液晶パネル４５（４５Ｒ，４５Ｇ，４５Ｂ）は、一対の透明なガラス基板に電気光学物質である液晶を密閉封入したものであり、例えば、ポリシリコンＴＦＴをスイッチング素子として、与えられた画像信号に従って、入射側偏光板４４１から射出された偏光光束の偏光方向を変調する。
【００４７】
クロスダイクロイックプリズム４４３は、射出側偏光板から射出された色光毎に変調された光学像を合成してカラー画像を形成する光学素子である。このクロスダイクロイックプリズム４４３は、４つの直角プリズムを貼り合わせた平面視略正方形状をなし、直角プリズム同士を貼り合わせた界面には、誘電体多層膜が形成されている。略Ｘ字状の一方の誘電体多層膜は、赤色光を反射するものであり、他方の誘電体多層膜は、青色光を反射するものであり、これらの誘電体多層膜によって赤色光及び青色光は曲折され、緑色光の進行方向と揃えられることにより、３つの色光が合成される。そして、クロスダイクロイックプリズム４４３から射出されたカラー画像は、投射レンズ３によって拡大投射され、図示を略したスクリーン上で大画面画像を形成する。
【００４８】
光学部品用筐体４６は、詳しい図示を省略するが、上方が開口し、箱状に形成された部品収納部材と、この部品収納部材の開口を覆う蓋状部材から構成されている。このうち、部品収納部材には、多数の溝部が形成され、これらの溝に、光源装置５０以外の各光学部品４１，４２，４３，４４を構成する部品を嵌め込むことによって、それぞれの部品が部品収納部材に収納される。
【００４９】
次に、光源装置５０について、詳細な説明を図４ないし図８に基づいて説明する。図４は、光源装置を示す斜視図である。図５は、光源装置を構成する光源ランプの発光管を模式的に示す平面図である。図６は、光源装置の天面を示す平面図である。図７は、光源装置の側面図である。図８は、光源装置を照明射出方向側から見た正面図である。
【００５０】
光源装置５０は、図４に示すように、光源ランプ５１と、リフレクタ５２と、ランプ保持部５３と、ランプハウジングとしてのランプケース５４と、コネクタ５５とを備えて構成されている。この光源装置５０は、光源ランプ５１にて放射状の光線を射出し、この光源ランプ５１から射出された放射光をリフレクタ５２で反射して外部へ射出する。
【００５１】
光源ランプ５１は、図５に示すように、中央部分に位置し略球状に膨出する石英ガラス製の発光部５１２と、この発光部５１２の両側に延びる一対の封止部５１３とで構成される。
【００５２】
発光部５１２には、略球状の放電空間が形成され、この放電空間内に、一対の電極５１４と、水銀、希ガス、および少量のハロゲンが封入される。
【００５３】
一対の封止部５１３の内部には、一対の電極５１４と電気的に接続されるモリブデン製の金属箔５１５が挿入され、ガラス材料等で封止されている。各金属箔５１５には、さらに電極引出線としてのリード線５３１が接続され、このリード線５３１は、光源ランプ５１の外部まで延出している。
【００５４】
そして、リード線５３１に電圧を印加すると、金属箔５１５を介して電極５１４間に電位差が生じて放電が生じ、アーク像が生成して発光部５１２内部が発光する。この時、アーク放電に伴って放出される熱は、上方側に流れ、発光管５１１内で空気の対流が生じる。なお、本実施の形態では、光源ランプに超高圧水銀ランプを用いたが、その他、メタルハライドランプ、高圧水銀ランプ、キセノンランプ、高圧ナトリウムランプ、ショートアークランプなどを適用してもよい。
【００５５】
リフレクタ５２には、表面が湾曲した放物面鏡が採用されている。なお、本実施の形態では、リフレクタ５２として楕円面鏡を用いたが、これに限らず、放物面鏡を用いる構成としてもよい。また、リフレクタ５２には、光源ランプ５１の発光管５１１に接続されるリード線５３１が挿通される図示しない孔部が形成されている。さらに、リフレクタ５２の前面には、略円筒状の笠部材５２Ａが取り付けられている。この笠部材５２Ａは、例えばねじ止めなどによりランプケース５４に固定され、リフレクタ５２は、この笠部材５２Ａを介してランプケース５４に取り付けられている。
【００５６】
ランプ保持部５３は、光源ランプ５１およびリフレクタ５２を着脱自在に保持している。また、ランプ保持部５３は、ランプケース５４に着脱自在に固定されている。このようなランプ保持部５３により、例えばメンテナンス作業などにおいて、光源ランプ５１を交換する際にランプ保持部５３をランプケース５４から取り外し、さらに光源ランプ５１をランプ保持部５３から取り外して交換作業などを実施することが可能となる。
【００５７】
ランプケース５４は、断面略正方形の略筒状部材であり、光源ランプ５１から光束は射出される照明射出方向の端部および照明射出方向とは反対側の端部が開口されている。そして、ランプケース５４は、天面５４Ａと、底面５４Ｂと、側壁５４Ｃ，５４Ｄを備えて形成されている。このランプケース５４の内面の両側壁５４Ｃ，５４Ｄには、ランプ保持部５３に対応した位置に湾曲部５４２を有する光源ランプ取付部５４１が両側壁５４Ｃ，５４Ｄを連結する状態に２本取り付けられている。そして、これらの光源ランプ取付部５４１は、湾曲部５４２にてランプ保持部５３を挟持して保持している。
【００５８】
また、ランプケース５４の側壁５４Ｃ，５４Ｄの照明射出方向側、すなわち光源ランプ５１から光束が放出される側には、ランプケース５４の内部と外部とを連通する複数のスリット孔５４３が形成されている。
【００５９】
さらに、ランプケース５４の照明射出方向側から見て右側の側壁５４Ｃには、照明射出方向側の天面５４Ａに即した位置に固定部としての光源取付片５４４Ａが、側壁５４Ｃに略直交する方向に突出して形成されている。また、この側壁５４Ｃには、照明射出方向とは反対側の底面５４Ｂに即した位置に固定部としての光源取付片５４４Ｂが、側壁５４Ｃに略直交する方向に突出して形成されている。また、これらの光源取付片５４４Ａ，５４４Ｂ，側壁５４Ｃ側が長辺、突出側が短辺となるテーパ状に形成されている。さらに、ランプケース５４の照明射出方向側から見て左側の側壁５４Ｄには、照明射出方向側の底面５４Ｂに即した位置に固定部としての光源取付片５４４Ｃが側壁５４Ｄに略直交する方向に突出して形成され、側壁５４Ｄの照明射出方向とは反対側の天面５４Ａに即した位置に固定部としての光源取付片５４４Ｄが側壁５４Ｃに略直交する方向に突出して形成されている。また、これらの光源取付片５４４Ａ，５４４Ｂ，側壁５４Ｃ側が長辺、突出側が短辺となるテーパ状に形成されている。そして、光源取付片５４４Ａおよび光源取付片５４４Ｃが、光源ランプ５１の照明光軸に対して互いに１８０度回転対称位置に形成され、光源取付片５４４Ｂおよび光源取付片５４４Ｄが光源ランプ５１の照明光軸に対して互いに１８０度回転対称位置に形成されている。また、これらの光源取付片５４４Ａ，５４４Ｂ，５４４Ｃ，５４４Ｄには、上下方向、すなわち天面５４Ａ側から底面５４Ｂ側、または底面５４Ｂ側から天面５４Ａ側に向かう方向に連通するねじ孔５４５が形成されている。
【００６０】
コネクタ５５は、ランプケース５４の側壁５４Ｄの天面５４Ａの即した略中央位置に設けられる第１コネクタ５５１と、側壁５４Ｃの底面５４Ｂに即した略中央位置に設けられる第２コネクタ５５２とを備えている。すなわち、第１コネクタ５５１と第２コネクタ５５２は、光源ランプ５１の照明光軸に対して互いに１８０度回転対称位置に設けられている。第１コネクタ５５１は、底面５４Ｂ側が開口した箱状に形成され、この第１コネクタ５５１の天面５４Ａ側には、底面５４Ｂ側の開口に向かって２本のコネクタピン５５３が立設されている。また、これらのコネクタピン５５３は、第１コネクタ５５１の天面５４Ａ側でそれぞれリード線５３１と電気的に接続され、このリード線５３１を介して発光管５１１の電極５１４に電気的に導通している。一方、第２コネクタ５５２は、天面５４Ａ側が開口した箱状に形成され、この第２コネクタ５５２の底面５４Ｂ側から天面５４Ａ側の開口に向かって２本のコネクタピン５５３が立設されている。そして、これらのコネクタピン５５３は、底面５４Ｂ側でそれぞれリード線５３１に電気的に接続され、このリード線５３１を介して発光管５１１に電気的に接続されている。
【００６１】
また、これらのコネクタ５５には、それぞれ外方に突出する突出片５５４が設けられている。なお、この突出片５５４は、本実施の形態において、それぞれ側壁５４Ｃ，５４Ｄに直交する方向に突出して設けられているが、光源ランプ５１の照明光軸に平行となる方向に設けられるものであってもよく、突出片５５４が形成されない構成としてもよい。
【００６２】
そして、光源装置５０を初めて使用する際には、第１コネクタ５５１が光学部品用筐体４６に設けられる後述する光源設置部４７の光源プラグ部４７１に差し込まれて、第１コネクタ５５１から光源ランプ５１に電力が供給される。一方、第２コネクタ５５２には、光源装置５０を初めて使用する際には、未使用である旨を示すシールが貼付されている。そして、光源装置５０のメンテナンス時などにおいて、光源ランプ５１の熱ダメージの分散のために光源装置５０を１８０度回転させた際に、第２コネクタ５５２に貼付されたシールが剥がされて、この第２コネクタ５５２が光源プラグ部４７１に差し込まれる。
【００６３】
次に光源装置５０が設置される光源設置部４７について、図９に基づいて説明する。図９は、光学部品用筐体の光源装置の取付位置を模式的に示す斜視図である。
【００６４】
光学部品用筐体４６は、インテグレータ照明光学系４１の平行化凹レンズ４１１と光源装置５０との間に、開口窓４６２が形成された光透過面４６１を備えている。そして、この光透過面４６１と隣接する位置に、光源設置部４７が光学部品用筐体４６と一体的に形成されている。この光源設置部４７は、図２に示すように、プロジェクタ１００内部の背面側に、外装ケース１１０のランプ取り外し口１１５に対向する位置に設けられている。そして、光源設置部４７は、光源装置５０の第１コネクタ５５１または第２コネクタ５５２が接続される電力供給部としての光源プラグ部４７１と、光源装置５０の天面５４Ａまたは底面５４Ｂが載置される設置面４７２と、光源取付片５４４Ａ，５４４Ｂ，５４４Ｃ，５４４Ｄを取付可能な取付部４７４とを備えている。
【００６５】
設置面４７２は、平面形状が光源装置５０の天面５４Ａおよび底面５４Ｂの平面形状と略同一に形成されている。そして、この設置面４７２には、光源装置５０の照明射出方向側の端部が、光透過面４６１に当接する状態に、光源装置５０が設置される。
【００６６】
光源プラグ部４７１は、設置面４７２のプロジェクタ１００の背面と対向する側に、プロジェクタ１００の上面側に向かって突出して形成されている。この光源プラグ部４７１には、２つの孔部が形成され、この孔部には、電源ユニット６と電気的に接続される筒状のプラグが設けられている。そして、光源装置５０を光源設置部４７に設置した際に、コネクタ５５（底面５４Ｂと設置面４７２とを対向させて設置した場合は第１コネクタ５５１、天面５４Ａと設置面４７２とを対向させて設置した場合は第２コネクタ５５２）のコネクタピン５５３が光源プラグ部４７１の孔部に挿入され、コネクタピン５５３とプラグとが係合して電気的に接続される。
【００６７】
また、光源プラグ部４７１の光透過面４６１側には、光源取付片５４４Ｃ（５４４Ａ）を係合する係合溝部４７３Ａが形成されている。この係合溝部４７３Ａは、光源取付片５４４Ｃ（５４４Ａ）が係合可能となる形状、すなわち、設置面４７２側が長辺、設置面４７２から離れる側が短辺となる略台形状に形成されている。光源装置５０は、この係合溝部４７３Ａに光源取付片５４４Ｃ（５４４Ａ）を係合させることで、位置決めされる。
【００６８】
さらに、設置面４７２の光透過面４６１と反対側の端部には、ストッパ４７３Ｂが突出形成されている。このストッパ４７３Ｂには、光源装置５０を光源設置部４７に設置した際に、光源装置５０の底面５４Ｂ（天面５４Ａ）の照明射出方向とは反対側の端部が当接し、光源装置５０を位置決めする。
【００６９】
取付部４７４は、光源プラグ部４７１の光透過面４６１とは反対側、および光透過面４６１に隣接する位置に設けられる。また、これらの取付部４７４は、光源装置５０の底面５４Ｂを設置面４７２に載置した際に、この取付部４７４の上面側が光源取付片５４４Ａ，５４４Ｄの下面側に当接する位置に設けられている。そして、これらの取付部４７４には、取付孔４７４Ａが設けられ、ねじＡ，Ｂを光源取付片５４４Ａ，５４４Ｄのねじ孔５４５からこの取付孔４７４Ａに螺合させて光源装置５０を固定している。
【００７０】
電源ユニット６は、外部電源から入力する交流電流を直流電流に変換し、当該直流電流を、装置本体を構成する電子部品に応じた所定の電圧に変換して当該電子部品に供給するとともに、当該直流電流から交流矩形波電流を生成して光源装置５０に供給する。この電源ユニット６は、例えばアルミなどの電磁遮断可能な素材にて形成された電源ユニットカバー体を備えている。
【００７１】
制御回路基板７は、光学ユニット４の底面側に、例えばねじ止めなどによる固定法により固定されている。この制御回路基板７は、インテグレータ照明光学系４１、光学装置４４、電源ユニット６、コントロール部１１４、などに電気的に接続され、プロジェクタ１００の装置全体の駆動制御を行う回路基板である。この制御回路基板７は、プロジェクタ１００に接続された機器から入力する画像情報に応じて、光学装置４４の液晶パネル４５の駆動制御を行うほか、電源ユニット６による光源装置５０の輝度制御等を行う。また、制御回路基板７には、時間測定手段としての図示しないタイマが設けられている。このタイマは、例えば光源装置５０が光源設置部４７に設置されると、初期化され、光源装置５０の発光管５１１から光束を射出させると、この光束射出時間を計測する。そして、発光管５１１の光束射出時間が所定の累計時間、例えば１０００時間になると、前述した外装ケース１１０の光源切替報知部１１８のランプを点灯させて光源装置５０を回転させる旨を報知する。なお、制御回路基板７は、さらに図示しない内臓スピーカから、光源装置５０の回転を要求する旨の報知情報を報知してもよく、投射レンズから光源装置５０の回転を要求する旨の映像情報を投射してもよい。
【００７２】
また、プロジェクタ１００の内部には、吸気用開口部１１１と対向する位置には、吸気用ファン８Ａが設けられている。また、プロジェクタ１００の背面側の排気用開口部１１７および光源装置５０に設けられるスリット孔５４３との間には、排気用ファン８Ｂが設けられている。そして、吸気用ファン８Ａは、吸気用開口部１１１から冷却用の空気を吸入し、プロジェクタ１００の内部に冷却空気を流通させ、排気用ファン８Ｂは、プロジェクタ１００内部で熱された空気を外部に排気する。また、排気用ファン８Ｂは、光源装置５０の側壁５４Ｃ（５４Ｄ）に設けられたスリット孔５４３から光源装置５０の内部を通って側壁５４Ｄ（５４Ｃ）を抜ける空気流路を形成し、光源ランプ５１を冷却する。
【００７３】
［プロジェクタの動作］
（光源装置のメンテナンス）
本実施の形態のプロジェクタ１００では、初めて光源装置５０を使用する際には、シールの貼付された第2コネクタ５５２が下側となるように、光源装置５０の天面５４Ａを上面にする。そして、プロジェクタ１００の外装ケース１１０のランプ取り外し口１１５を開口し、このランプ取り外し口１１５から光源装置５０の天面５４Ａをプロジェクタ１００の上面側にして、光源設置部４７に取り付ける。これには、光源装置５０の光源取付片５４４Ｃを先端側から係合溝部４７３Ａに挿入して係合させるとともに、光源装置５０の底面５４Ｂの照明射出方向とは反対側端部をストッパ４７３Ｂに係止させて、底面５４Ｂを設置面４７２に載置する。そして、ねじＡ，Ｂを光源取付片５４４Ａ，５４４Ｄのねじ孔５４５から取付部４７４の取付孔４７４Ａに螺合させて光源装置５０を固定する。この後、ランプ取り外し口１１５にカバー部１１６を取り付けてランプ取り外し口１１５を閉口させる。
【００７４】
そして、制御回路基板７のタイマにて光源装置５０の光源ランプ５１の使用時間が約１０００時間となったことが認識されると、制御回路基板７は、光源切替報知部１１８のランプを点灯させて、利用者に光源装置５０の回転を促す旨を報知する。利用者は、この光源切替報知部１１８のランプが点灯しているのを認識すると、再びカバー部１１６を取り外してランプ取り外し口１１５を開口し、ねじＡ，Ｂを取り外して光源装置５０を取り外す。そして、光源装置５０の第２コネクタ５５２の開口に貼付されたシールを剥がす。そして、光源装置５０の光源取付片５４４Ａを先端側から係合溝部４７３Ａに挿入して係合させるとともに、光源装置５０の天面５４Ａの照明射出方向とは反対側の端部をストッパ４７３Ｂに係止させて、天面５４Ａを設置面４７２に載置する。そして、ねじＡ，Ｂを光源取付片５４４Ｃ，５４４Ｂのねじ孔５４５から取付部４７４の取付孔４７４Ａに螺合させて光源装置５０を固定する。この後、ランプ取り外し口１１５にカバー部１１６を取り付けてランプ取り外し口１１５を閉口させる。
【００７５】
上記のように光源装置５０を１８０度回転させて入れ替えることで、発光管５１１がアーク放電による熱によってダメージを受ける部位も１８０度も回転される。すなわち、発光管５１１の熱ダメージを受ける位置を分散させることができる。
【００７６】
［プロジェクタの作用効果］
上述したような実施の形態のプロジェクタ１００では、ランプケース５４の側壁５４Ｃの底面５４Ｂ側と、側壁５４Ｄの天面５４Ａ側に、照明光軸に対して１８０度回転対称となる位置に第1コネクタ５５１および第２コネクタ５５２が設けられている。このため、光源装置５０を１８０度回転させると、第1コネクタ５５１が回転前の第２コネクタ５５２の位置に移動して、第２コネクタ５５２が回転前の第１コネクタ５５１の位置に移動する。したがって、光源装置５０を初めて使用する際には、第1コネクタ５５１を光源プラグ部４７１に挿入して光源ランプ５１に電力を供給し、所定の時間経過後に、この光源装置５０を１８０度回転させて第２コネクタ５５２に光源プラグ部４７１を挿入するだけで容易に光源装置５０内の発光管５１１を１８０度回転させることができる。よって、このような簡単な構成で、容易に発光管５１１の熱ダメージを受ける位置を分散させることができ、発光管５１１の寿命を延長させることができる。
【００７７】
また、第１コネクタ５５１および第２コネクタ５５２は、共に光源ランプ５１にリード線により接続されている。このため、第１コネクタ５５１および第２コネクタ５５２のどちらを光源プラグ部４７１に挿入しても光源ランプ５１に電力を供給できる。したがって、光源装置５０を１８０度回転させた時に、光源ランプ５１と第１コネクタ５５１および第２コネクタ５５２をリード線で改めて接続しなおす作業などが不要で、光源装置５０を回転させてコネクタ５５を切り替えるだけで容易に光源装置５０に電源を供給できる。
【００７８】
さらに、光源装置５０を初めて使うときには、第２コネクタ５５２の開口にシールが貼付されている。このため、第１コネクタ５５１および第２コネクタ５５２を容易に見分けることができる。したがって、光源装置５０を光源設置部４７から取り外したときに、光源装置５０が取り付けられていた向きを容易に認識できる。よって接続するコネクタ５５の間違いなどの誤操作を防止できる。また、このようなシールを用いることにより、低コストで簡単にコネクタ５５を識別することができる。
【００７９】
そして、ランプケース５４の側壁５４Ｃの照明射出方向側の天面５４Ａに即した位置に光源取付片５４４Ａが設けられ、この光源取付片５４４Ａの光源ランプ５１の照明光軸に対して１８０度回転対称となる位置、すなわち側壁５４Ｄの照明射出方向側の底面５４Ｂに即した位置に光源取付片５４４Ｃが設けられている。また、側壁５４Ｃの照明射出方向とは反対側の底面５４Ｂに即した位置に光源取付片５４４Ｂが設けられ、この光源取付片５４４Ｂの照明光軸に対して１８０度回転対称位置に、光源取付片５４４Ｄが設けられている。このため、光源装置５０を１８０度回転させたときに、回転前の光源取付片５４４Ａ，５４４Ｄの位置に回転後の光源取付片５４４Ｃ，５４４Ｂが移動する。したがって、光源装置５０を光源設置部４７に底面５４Ｂと設置面４７２とを対向させて取り付けるときには、光源取付片５４４Ａ，５４４Ｄを取付部４７４に取り付け、光源装置５０を光源設置部４７に天面５４Ａと設置面４７２とを対向させて取り付けるときには、光源取付片５４４Ｃ，５４４Ｂを取付部４７４に取り付けることで、容易に光源装置５０を光源設置部４７に設置できる。このような構成にすることで、光源設置部４７には、光源取付片５４４Ａまたは光源取付片５４４Ｃが取り付けられる取付部４７４、および光源取付片５４４Ｄまたは光源取付片５４４Ｂが取り付けられる取付部４７４の２つのみを設けるだけで光源装置５０を取り付けられるので、構成が簡単になり、光源装置５０の取付作業も容易に実施できる。
【００８０】
また、ランプケース５４の側壁５４Ｃ，５４Ｄには、複数のスリット孔５４３が形成されている。このため、吸気用ファン８Ａおよび排気用ファン８Ｂによってプロジェクタ１００の内部に導入された冷却用の空気が、一方の側壁５４Ｃのスリット孔５４３を通って他方の側壁５４Ｄのスリット孔５４３から排出される。このため、光源ランプ５１をこの冷却用の空気で冷却することができ、光源ランプ５１の寿命の延長化を図ることができる。
【００８１】
さらに、排気用ファン８Ｂが側壁５４Ｄ（天面５４Ａと設置面４７２とが対向しているときは側壁５４Ｃ）に設けられるスリット孔５４３とプロジェクタ１００の背面側に設けられる排気用開口部１１７との間に排気用ファン８Ｂが設けられている。このため、この排気用ファン８Ｂに側壁５４Ｃ，５４Ｄに設けられるスリット孔５４３間に空気流路が形成されるため、より効果的に光源ランプ５１を冷却することができる。
【００８２】
そして、制御回路基板７のタイマにて、光源装置５０が設置されてからの発光管５１１の使用時間を計測し、発光管５１１の累計使用時間が約１０００時間となれば、制御回路基板７は光源切替報知部１１８のランプを点灯させて利用者に光源装置５０の回転を促す報知処理を実施する。このため、利用者は、容易に光源装置５０の発光管５１１の累積使用時間を認識でき、発光管５１１が熱により失透する前に光源装置５０を回転させることができる。
【００８３】
［他の実施の形態］
なお、本発明は前述の実施形態に限定されるものではなく、本発明の目的を達成できる範囲での変形、改良等は本発明に含まれるものである。
【００８４】
例えば、上記実施の形態では、第２コネクタ５５２の開口シールを貼付する例を示したが、これに限らない。すなわち、第１コネクタ５５１および第２コネクタ５５２の双方にシールが貼付されている構成としてもよい。この場合、光源装置５０を初めて使用する際に、これらのコネクタ５５のうち、どちらか一方のシールを剥がし、シールを剥がした方のコネクタ５５を光源プラグ部４７１に挿入する。また、シールを剥がす構成に限らず、例えばコネクタ５５の開口にシールを貼付したまま、光源プラグ部４７１にコネクタ５５を挿入してシールを破いて接続する構成としてもよい。さらに、第１コネクタ５５１および第２コネクタ５５２を識別する手段としては、上記実施の形態のようなシールに限らず、例えばコネクタ５５の開口に係合されたカバーであってもよい。この構成では、光源装置５０の第１コネクタ５５１または第２コネクタのどちらか一方にカバーが係合されていてもよく、双方にカバーが係合されていてもよい。そして、双方にカバーが係合されているときは、使用するコネクタ５５のカバーを外して、光源プラグ部４７１に挿入する。このような構成でも、この光源装置５０を取り外したときに、カバーがついているコネクタ５５とカバーが外れているコネクタ５５とが容易に識別できるので、光源装置５０を１８０度回転させて再度光源設置部４７に取り付けるときに、光源装置５０の向きや光源プラグ部４７１に接続させるコネクタ５５を間違えることがなく、誤操作を防止できる。
【００８５】
さらに、上記実施の形態では、タイマにより発光管５１１の使用時間を計測し、発光管５１１の光束射出時間が所定の累積時間となれば、光源切替報知部１１８のランプを点灯させて利用者に報知する例をしめしたが、これに限らない。例えば、発光管５１１の発光部５１２および封止部５１３の石英ガラスの結晶化をセンサによって検出する構成としてもよい。この構成では、例えば光源ランプ５１の近傍や、光源ランプ５１の照明光軸に沿った位置に光源ランプの照度を検出するセンサを設ける。そして、センサは、光源ランプの照度に応じた所定の検出信号を制御回路基板７に出力する。一方、制御回路基板７は、センサから入力された検出信号に基づいて、光源センサの照度が所定量低下したことを検出すると、例えば投射レンズ３からスクリーン上に投射される映像にて、光源ランプの交換を要求する旨の例えばテロップなどを表示させる。このような構成では、利用者はこのテロップなどにより光源装置５０を回転させる時期が容易に分かるので、光源ランプ５１の照度が著しく低下する前に光源装置５０を回転させることができる。したがって、光源ランプ５１の寿命を効率よく延長させることができる。
【００８６】
また、上記実施の形態では、プロジェクタの上面から側面に渡ってランプ取り外し口１１５が形成される例を示したが、ランプ取り外し口１１５の位置には限定されず、光源設置部４７に光源装置５０を取り付けることができる位置に設けられていればよい。例えば、ランプ取り外し口が上面から背面に亘って設けられている構成としてもよい。
【００８７】
また、コネクタ５５は、底面側または天面側が開口して、内部に２本のコネクタピン５５３が開口に向かって立設されている構成としたが、これに限らない。例えば、コネクタ５５は、照明射出方向側が開口した形状に形成され、照明射出方向とは反対側からこの開口に向かってコネクタピン５５３が立設された構成としてもよい。このような構成では、光源設置部４７の光源プラグ部４７１は、筒状のプラグがプロジェクタ１００の側面側に向かって形成され、光源装置５０をプロジェクタ１００の側面側からスライド移動させて光源設置部４７に設置する。このような構成でも、上記実施の形態と同様に、光源装置５０を回転させるだけで簡単な構成で容易に光源ランプ５１の寿命を延長させることができる。
【００８８】
さらに、ランプケース５４にスリット孔５４３が形成されていない構成としてもよい。この場合、プロジェクタ１００の外装ケース１１０は、ランプ取り外し口１１５がプロジェクタ１００の上面から背面に亘って開口するように形成され、プロジェクタ１００の光源設置部４７側に側面に排気用開口部１１７が形成される構成とする。そして、この排気用開口部１１７と光源装置５０の照明射出方向を反対側の端部との間に排気用ファンまたは吸気用ファンを設ける。このような構成とすることで、光源装置５０内の空気を排気する、または光源装置５０内に冷却空気を導入することができ、光源ランプを冷却することができる。
【００８９】
また、光源取付片が照明光軸に対して１８０度回転対称位置に２対設けられている構成を示したが、一対のみ設けられている構成としてもよい。このような構成では、取付部４７４は光源取付片に対応する位置に１つ設けられているだけでよく、光源設置部４７の構成を簡単にできる。
【００９０】
さらに、上記実施の形態では、光源装置５０のコネクタ５５は、開口に向かってコネクタピン５５３が立設され、光源プラグ部４７１の筒状のプラグに挿入される例を示したが、これに限定されない。例えば、コネクタ５５に金属製の筒状部材が形成され、光源プラグ部４７１にこの筒状部材に挿入される金属製のピン部材が形成されている構成としてもよい。このように、光源プラグ部４７１とコネクタ５５とが電気的に接続され、光源ランプ５１に電力が供給される構成であれば、コネクタや光源プラグ部の形状や構成には限定されない。
【００９１】
また、上記実施の形態では、ランプケース５４の側面５４Ｃ，５４Ｄに、照明光軸に対して１８０度回転対称位置にコネクタ５５を配設した構成を例示したが、これに限定されない。例えば、ランプケース５４の天面５４Ａ、底面５４Ｂに、照明光軸に対して１８０度回転対称位置にコネクタ５５が設けられている構成としてもよい。この場合、光源設置部４７の設置面４７２には、コネクタ５５の挿入位置に応じて凹溝が形成され、この凹溝上に電源プラグ部が形成される構成としてもよい。このような構成にすることで、天面５４Ａまたは底面５４Ｂに設けられたコネクタを凹溝に沿って挿入し、電源プラグ部に接続することができる。
【００９２】
さらに、ランプケースの側面５４Ｃ，５４Ｄに照明光軸に対して１８０度回転対称位置にコネクタが設けられ、天面５４Ａ、および底面５４Ｂに照明光軸に対して１８０度回転対称位置にコネクタが設けられている構成としてもよい。すなわち、コネクタが照明光軸に対して９０度回転対称位置にそれぞれ設けられている構成としてもよい。この場合、光源取付片も９０度回転対称位置に設けられていることが好ましい。この構成では、光源ランプの照射時間が所定の累積時間となれば、光源ユニットを９０度回転させた状態で設置する。このように光源ユニットを９０度ずつ回転させることで、発光管５１１の石英結晶化が進行する位置を４方向に分散させることができるので、さらに光源ランプの寿命を延長させることができる。なお、上述した例以外にも、例えばコネクタを６０度回転対称位置に設けてもよく、１２０度回転対称位置に設けてもよい。
【００９３】
その他、本発明の実施の際の具体的な構造および手順は、本発明の目的を達成できる範囲で他の構造などに適宜変更できる。
【産業上の利用可能性】
【００９４】
本発明は、プロジェクタに利用することができる。
【図面の簡単な説明】
【００９５】
【図１】本実施の形態に係るプロジェクタの斜視図である。
【図２】プロジェクタの内部を模式的に示す概略図である。
【図３】光学部品筐体の内部を模式的に示す概略図である。
【図４】光源装置を示す斜視図である。
【図５】光源装置を構成する光源ランプの発光管を模式的に示す平面図である。
【図６】光源装置の天面を示す平面図である。
【図７】光源装置の側面図である。
【図８】光源装置を照明射出方向側から見た正面図である。
【図９】光学部品用筐体の光源装置の取付位置を模式的に示す斜視図である。
【符号の説明】
【００９６】
３…投射レンズ、４５…光変調素子としての液晶パネル、５０…光源装置、５１…光源ランプ、５４…ランプハウジングとしてのランプケース、５５…コネクタ、１００…プロジェクタ、５１１…発光管、５１４…電極、５４４Ａ，５４４Ｂ，５４４Ｃ，５４４Ｄ…固定部としての光源取付片
【図１】
2006220857.tif 000003
【図２】
2006220857.tif 000004
【図３】
2006220857.tif 000005
【図４】
2006220857.tif 000006
【図５】
2006220857.tif 000007
【図６】
2006220857.tif 000008
【図７】
2006220857.tif 000009
【図８】
2006220857.tif 000010
【図９】
2006220857.tif 000011